(57)【特許請求の範囲】
【請求項１】
磁気回路に結合されたフレームに周縁部を結合した振動板に取付けられたボイスコイルを上記磁気回路の磁気ギャップにはめこみ、このボイスコイルの中間部を少なくとも平面形状が四角形状であり、隣接する辺間に隙間が設けられ、四辺形の相対向する辺のコルゲーションを同一形状にするとともに、四角形状のフレームの短径側にアップロール形状、長径側にダウンロール形状のコルゲーション部を配したダンパーで前記フレームに保持した細長形スピーカ。
【発明の詳細な説明】
【０００１】
【発明の属する技術分野】
本発明は各種音響機器、映像機器に使用される楕円形やトラック形などの細長形のスピーカに関するものである。
【０００２】
【従来の技術】
従来の細長形のスピーカについて、図５、図６、図７のトラック形のスピーカについて説明する。
【０００３】
図５は長径方向の断面図、図６は短径方向の断面図、図７は振動板を除いた状態の上面図である。同図によると、マグネット１を上部プレート２及び下部プレート３によりはさみ込んで構成された磁気回路４の上部プレート２にフレーム６を結合し、このフレーム６の周縁部にコーン紙７をエッジ８によりクランプした構成とした振動板９を接着し、この振動板９を駆動させるためのボイスコイル１０の中間部を円形状のダンパー１１にて中心保持し、磁気ギャップ５にはまり込むように結合し、ボイスコイル１０の上面にダストキャップ１２を接着して構成されていた。
【０００４】
【発明が解決しようとする課題】
しかしながら、従来のこの種の細長形スピーカは、そのトラック形というスリム形状から影響される技能上の欠点として、振動系の振幅を大きく確保することができないため、高耐入力化や高リニアリティー化が設計上困難であるという問題を有するものであった。
【０００５】
この原因は、通常細長形スピーカの振動系の振幅を大きく左右しているのはダンパー１１であり、この種のスピーカの形状がトラック型であるため、このダンパー１１の外形が円形であり、トラック型の短径方向の寸法により制限され、外形寸法の大きいダンパーが使用できないためである。よって、振動系の振幅を大きく確保できないために高耐入力化や高リニアリティー化が設計上困難となるのである。
【０００６】
本発明はこのような従来の課題を解消し、高耐入力化や高リニアリティー化を図ることができる優れた細長形スピーカを提供することを目的とするものである。
【０００７】
【課題を解決するための手段】
前記課題を解決するために本発明は、磁気回路に結合されたフレームに周縁部を結合した振動板に取付けられたボイスコイルを上記磁気回路の磁気ギャップにはめこみ、このボイスコイルの中間部を保持するダンバーの外径形状を円形ではなく四角形状とし、隣接する辺間に隙間を設け、四辺形の相対向する辺のコルゲーションを同一形状にするとともに、四角形状のフレームの短径側にアップロール形状、長径側にダウンロール形状のコルゲーション部を配したダンパーでフレームに保持したスピーカであり、トラック形の細長形スピーカにおいて、ダンパーをスペースファクター良く配置し、振幅を大きく確保することを可能とするものである。
【０００８】
【発明の実施の形態】
本発明の請求項１に記載の発明は、磁気回路に結合されたフレームに周縁部を結合した振動板に取付けられたボイスコイルを上記磁気回路の磁気ギャップにはめこみ、このボイスコイルの中間部を平面形状が四角形状とし、隣接する辺間に隙間を設け、四辺形の相対向する辺のコルゲーションを同一形状にするとともに、四角形状のフレームの短径側にアップロール形状、長径側にダウンロール形状のコルゲーション部を配したダンパーでフレームに保持するものであり、トラック形の細長形スピーカへのダンパーのスペースファクターを向上させ、ダンパーの振幅を大きく確保して、高耐入力化が図れ、短径方向と長径方向のローリングの発生を抑制し、スリムタイプの細長形スピーカの長径側の余裕のあるスペースを活用し、よりダンパーのスペースファクターを向上させるという作用を有し、さらにアップロール形状、ダウンロール形状のそれぞれの上下振幅特性の非直線性を互いに打ち消し合うことで上下振幅における対称性を向上してリニアリティーを向上させるという作用を有するものである。
【０００９】
以下本発明の実施の形態について図１〜図４により説明する。図１は本発明の細長形のスピーカの一実施の形態の長径方向の断面図であり、図２は同短径方向の断面図であり、図３は同振動板を除いた状態の上面図であり、図４は同要部であるダンパーの斜視図である。
【００１０】
マグネット２１を上部プレート２２及び下部プレート２３によりはさみ込んで構成された磁気回路２４の上部プレート２２にフレーム２６を結合し、このフレーム２６の周縁部にコーン紙２７をエッジ２８によりクランプした構成とした振動板２９を接着し、この振動板２９を駆動させるためのボイスコイル３０を、その中間部をフレーム２６の長径方向側のスペースを活用したダウンロール型コルゲーション部３１Ａによるダンパー３１にて中心保持しながら磁気ギャップ２５にはまり込むように結合し、ボイスコイル３０の上面にダストキャップ３２を接着して構成している。
【００１１】
なお、ダンパー３１は長径方向には図１に示すごとく下半円状のダウンロール型のコルゲーション部３１Ａを有しており、短径方向にも上半円状のアップロール型コルゲーション部３１Ｂを有して相対向する辺は同一形状のコルゲーション部とするとともに、これらより構成されるダンパー３１の平面形状の四辺形のダンパー３１の対角線上には縁を除いて若干の隙間３１Ｃを設け、アップロール型コルゲーション部３１Ｂとダウンロール型コルゲーション部３１Ａのそれぞれの振動の自由度を確保している。
【００１２】
以上のように、本実施の形態においては、ダンパー３１を四辺形状とし、その対角線上に若干の隙間３１Ｃを設け、隣接するコルゲーション部の自由度を確保して、従来のダンパーよりスペースファクターを向上して高耐入力化や高リニアリティー化を図ることを可能とするとともに、相対向するコルゲーション部を同一形状にして、短径方向と長径方向のローリングの発生を防止している。
【００１３】
なお、更に上記実施形態においては、フレーム２６とボイスコイル３０間の間隙の狭い短径方向においては、アップロール型コルゲーション部３１Ｂとして間隙の狭い短径方向におけるダンパー３１のスペースファクターの効率を向上して、より高耐入力化の向上を図るとともに、このアップロール型コルゲーション部３１Ｂとダウンロール型コルゲーション部３１Ａのそれぞれの上下振幅特性の非直線性を打ち消し合う（相互補完）することで、上下振幅における対称性を確保してリニアリティーの更なる向上を図ることができるものである。
【００１４】
【発明の効果】
以上のように、本発明の細長形スピーカは、平面形状を四角形とし隣接する辺間に隙間を設けたダンパーを用いてスピーカを形成して、ダンパーのスペースファクターを向上させ、ダンパーの振幅の限界を向上させ、高耐入力化が図れるものである。
【図面の簡単な説明】
【図１】  本発明の細長形のスピーカの一実施の形態の長径方向の断面図
【図２】  同短径方向の断面図
【図３】  同振動板を除いた状態の上面図
【図４】  同要部であるダンパーの斜視図
【図５】  従来の細長形のスピーカの断面図
【図６】  同短径方向の断面図
【図７】  同振動板を除いた状態の上面図
【符号の説明】
２４  磁気回路
２５  磁気ギャップ
２６  フレーム
２９  振動板
３０  ボイスコイル
３１  ダンパー
３１Ａ  ダウンロール型コルゲーション部
３１Ｂ  アップロール型コルゲーション部
３１Ｃ  隙間
【図１】
0003735946.tif 000002
【図２】
0003735946.tif 000003
【図３】
0003735946.tif 000004
【図４】
0003735946.tif 000005
【図５】
0003735946.tif 000006
【図６】
0003735946.tif 000007
【図７】
0003735946.tif 000008